(57)【特許請求の範囲】
【請求項１】
地図上に目的地を設定するために当該地図上の目的地を表す所定桁数の位置コードを入力することにより、当該目的地を含む周辺区域の地図情報を地図情報記憶装置から取り出してモニタに表示させる情報入力装置において、
地図上の基準地を表す所定桁数の位置コードを設定する基準地位置コード設定手段と、
前記地図上の基準地を含み、広さが異なる複数段階の周辺区域それぞれを表す周辺区域コードであって、当該基準地を表す位置コードの上位何桁かで表わされるコードを表示する周辺区域コード表示手段と、
前記周辺区域コード表示手段が表示している周辺区域コードのうちの１つを選択する周辺区域コード選択手段と、
任意桁数のコードを入力するコード入力手段と、
前記周辺区域コード選択手段により選択された周辺区域コードの下位桁に前記コード入力手段により入力されたコードを付加して所定桁数の位置コードとし、これを目的地を表す位置コードとして設定する目的地設定手段とを備えて成る情報入力装置。
【請求項２】
前記所定桁数の位置コード及び周辺区域コードとして、市外局番からの電話番号、緯度・経度、郵便番号又は全国地図を所定の面積のメッシュに区切り、各メッシュに所定桁数の番号を割り付けた地図区域番号を用いることを特徴とする請求項１に記載の情報入力装置。
【請求項３】
移動局と、固定局と、前記移動局に設けられた移動体電話、目的地案内表示装置及び入力装置と、前記固定局に設けられた地図位置情報検索装置とを備え、前記移動局の移動体電話から前記固定局を発呼して位置コード以外の目的地を特定するための情報を送信し、前記固定局において、前記移動局から送られてきた前記目的地を特定するための情報に基づき、前記地図位置情報検索装置によって地図データを検索して該当する目的地の位置コードを割り出して当該移動局に音声信号で送信し、前記移動局において、
前記固定局から送られてくる前記目的地の位置コードを前記目的地案内表示装置に入力することにより、当該目的地案内表示装置に目的地として示す地図表示を行わせる目的地案内システムにおいて、前記移動局の目的地案内表示装置は、移動局の現在地を検出する測位手段と、前記測位手段の検出した現在地情報から所定桁数の現在地の位置コードを割り出す現在地位置コード割出手段と、前記地図上の現在地を含み、広さが異なる複数段階の周辺区域それぞれを表す周辺区域コードであって、当該現在地を表す位置コードの上位何桁かで表わされるコードを表示する周辺区域コード表示手段と、前記周辺区域コード表示手段が表示している周辺区域コードのうちの１つを選択する周辺区域コード選択手段と、任意桁数のコードを入力するコード入力手段と、前記周辺区域コード選択手段により選択された周辺区域コードの下位桁に前記コード入力手段により入力されたコードを付加して所定桁数の位置コードとし、これを目的地を表す位置コードとして設定する目的地設定手段とを有することを特徴とする目的地案内システム。
【請求項４】
前記所定桁数の位置コード及び周辺区域コードとして、市外局番からの電話番号、緯度・経度、郵便番号又は全国地図を所定の面積のメッシュに区切り、各メッシュに所定桁数の番号を割り付けた地図区域番号を用いることを特徴とする請求項３に記載の目的地案内システム。
【請求項５】
自装置の現在地を検出する測位手段と、前記測位手段の検出した現在地情報から所定桁数の現在地の位置コードを割り出す現在地位置コード割出手段と、地図上の現在地を含み、広さが異なる複数段階の周辺区域それぞれを表す周辺区域コードであって、当該現在地を表す位置コードの上位何桁かで表わされるコードを表示する周辺区域コード表示手段と、前記周辺区域コード表示手段が表示している周辺区域コードのうちの１つを選択する周辺区域コード選択手段と、任意桁数のコードを入力するコード入力手段と、前記周辺区域コード選択手段により選択された周辺区域コードの下位に前記コード入力手段により入力されたコードを付加して所定桁数の位置コードとし、これを目的地を表す位置コードとして設定し、当該目的地を含む周辺区域の地図を表示させる目的地設定手段とを備えて成る目的地案内表示装置。
【請求項６】
前記所定桁数の位置コード及び周辺区域コードとして、市外局番からの電話番号、緯度・経度、郵便番号又は全国地図を所定の面積のメッシュに区切り、各メッシュに所定桁数の番号を割り付けた地図区域番号を用いることを特徴とする請求項５に記載の目的地案内表示装置。
【請求項７】
現在地を表す所定桁数の位置コードを取得する段階と、
地図上の現在地を含み、広さが異なる複数段階の周辺区域それぞれを表す周辺区域コードであって、当該現在地を表す位置コードの上位何桁かで表わされる周辺区域コードとを表示する段階と、
前段階で表示されている周辺区域コードのうちの１つを選択させ、選択された周辺区域コードを表示する段階と、
前段階で表示されている周辺区域コードの下位に所定桁数になるまでコードを入力させて目的地の位置コードとする段階と、
前段階で決定された目的地の位置コードが表す目的地を含む周辺区域の地図を表示させる段階とから成る目的地設定方法。
【請求項８】
前記所定桁数の位置コード及び周辺区域コードとして、市外局番からの電話番号、緯度・経度、郵便番号又は全国地図を所定の面積のメッシュに区切り、各メッシュに所定桁数の番号を割り付けた地図区域番号を用いることを特徴とする請求項７に記載の目的地設定方法。
【発明の詳細な説明】
【０００１】
【発明の属する技術分野】
本発明は、情報入力装置、目的地案内システム、目的地案内表示装置及び目的地設定方法に関する。
【０００２】
【従来の技術】
従来、車両のような移動局から情報センターのような固定局に自動車電話あるいは携帯電話のような移動体電話を利用して目的地を特定する情報を問い合わせ、固定局で問合せを受けた目的地を特定する情報に基づいて地図データを検索し、目的地を示す緯度、経度のような地図位置情報を割り出し、これを移動局に送信し、移動局のナビゲーション装置により自局の現在位置と目的地とを示すマークをし、かつ現在位置から目的地までの推奨ルートを明示する地図を表示させる目的地案内システムとして、特開平３−２９１５２２号公報に記載されたものが知られている。
【０００３】
【発明が解決しようとする課題】
このような従来の目的地案内システムでは、固定局から移動局へ位置情報をディジタルデータ信号として送信し、移動局のナビゲーション装置ではこれを解析して目的地として自動的に設定することができる。
【０００４】
しかしながらこのような従来の目的地案内システムは、固定局のオペレータが目的地を音声で移動局の利用者に伝えるようにする場合には、利用者が音声によって聞いた位置情報をナビゲーション装置に自ら入力し、設定操作する必要がある。そのため、特に位置情報が複雑で長い番号やコードであれば正しくメモしておかなければ忘れてしまい、再度問合せをしなければならない煩わしさがあり、また誤入力も起こりやすい問題点があった。
【０００５】
本発明は、このような従来の問題点に鑑みてなされたもので、目的地案内サービスの利用をしやすくする目的地案内技術を提供することを目的とする。
【０００６】
【課題を解決するための手段】
請求項１の発明は、地図上に目的地を設定するために当該地図上の目的地を表す所定桁数の位置コードを入力することにより、当該目的地を含む周辺区域の地図情報を地図情報記憶装置から取り出してモニタに表示させる情報入力装置において、地図上の基準地を表す所定桁数の位置コードを設定する基準地位置コード設定手段と、前記地図上の基準地を含み、広さが異なる複数段階の周辺区域それぞれを表す周辺区域コードであって、当該基準地を表す位置コードの上位何桁かで表わされるコードを表示する周辺区域コード表示手段と、前記周辺区域コード表示手段が表示している周辺区域コードのうちの１つを選択する周辺区域コード選択手段と、任意桁数のコードを入力するコード入力手段と、前記周辺区域コード選択手段により選択された周辺区域コードの下位に前記コード入力手段により入力されたコードを付加して所定桁数の位置コードとし、これを目的地を表す位置コードとして設定する目的地設定手段とを備えたものである。
【０００７】
請求項３の発明は、移動局と、固定局と、前記移動局に設けられた移動体電話、目的地案内表示装置及び入力装置と、前記固定局に設けられた地図位置情報検索装置とを備え、前記移動局の移動体電話から前記固定局を発呼して位置コード以外の目的地を特定するための情報を送信し、前記固定局において、前記移動局から送られてきた前記目的地を特定するための情報に基づき、前記地図位置情報検索装置によって地図データを検索して該当する目的地の位置コードを割り出して当該移動局に音声信号で送信し、前記移動局において、前記固定局から送られてくる前記目的地の位置コードを前記目的地案内表示装置に入力することにより、当該目的地案内表示装置に目的地として示す地図表示を行わせる目的地案内システムにおいて、前記移動局の目的地案内表示装置は、移動局の現在地を検出する測位手段と、前記測位手段の検出した現在地情報から所定桁数の現在地の位置コードを割り出す現在地位置コード割出手段と、前記地図上の現在地を含み、広さが異なる複数段階の周辺区域それぞれを表す周辺区域コードであって、当該現在地を表す位置コードの上位何桁かで表わされるコードを表示する周辺区域コード表示手段と、前記周辺区域コード表示手段が表示している周辺区域コードのうちの１つを選択する周辺区域コード選択手段と、任意桁数のコードを入力するコード入力手段と、前記周辺区域コード選択手段により選択された周辺区域コードの下位に前記コード入力手段により入力されたコードを付加して所定桁数の位置コードとし、これを目的地を表す位置コードとして設定する目的地設定手段とを有するものである。
【０００８】
請求項５の発明の目的地案内表示装置は、自装置の現在地を検出する測位手段と、前記測位手段の検出した現在地情報から所定桁数の現在地の位置コードを割り出す現在地位置コード割出手段と、地図上の現在地を含み、広さが異なる複数段階の周辺区域それぞれを表す周辺区域コードであって、当該現在地を表す位置コードの上位何桁かで表わされるコードを表示する周辺区域コード表示手段と、前記周辺区域コード表示手段が表示している周辺区域コードのうちの１つを選択する周辺区域コード選択手段と、任意桁数のコードを入力するコード入力手段と、前記周辺区域コード選択手段により選択された周辺区域コードの下位に前記コード入力手段により入力されたコードを付加して所定桁数の位置コードとし、これを目的地を表す位置コードとして設定し、当該目的地を含む周辺区域の地図を表示させる目的地設定手段とを備えたものである。
【０００９】
請求項７の発明の目的地設定方法は、現在地を表す所定桁数の位置コードを取得する段階と、地図上の現在地を含み、広さが異なる複数段階の周辺区域それぞれを表す周辺区域コードであって、当該現在地を表す位置コードの上位何桁かで表わされる周辺区域コードとを表示する段階と、前段階で表示されている周辺区域コードのうちの１つを選択させ、選択された周辺区域コードを表示する段階と、前段階で表示されている周辺区域コードの下位に所定桁数になるまでコードを入力させて目的地の位置コードとする段階と、前段階で決定された目的地の位置コードが表す目的地を含む周辺区域の地図を表示させる段階とから成るものである。
【００１０】
請求項２，請求項４，請求項６，請求項８の発明は、前記所定桁数の位置コード及び周辺区域コードとして、市外局番からの電話番号、緯度・経度、郵便番号又は全国地図を所定の面積のメッシュに区切り、各メッシュに所定桁数の番号を割り付けた地図区域番号を用いるものである。
【００１１】
【発明の効果】
請求項１の発明の情報入力装置では、基準地位置コード設定手段により地図上の基準地を表す所定桁数の位置コードを設定すると、周辺区域コード表示手段が上記基準地を表す位置コードの上位何桁かで表わされる、それぞれ広さの異なる複数段階の周辺区域に対応した周辺区域コードを１あるいは複数個表示する。そこで、表示されている周辺区域コードのうちの１つを周辺区域コード選択手段によって選択し、さらにコード入力手段によって任意桁数のコードを入力すると、目的地設定手段が、選択された周辺区域コードの下位桁に入力されたコードを付加して所定桁数の位置コードとし、これを目的地を表す位置コードとして設定する。これにより、設定された目的地の位置コードに基づき、当該目的地を含む周辺区域の地図情報を地図情報記憶装置から取り出してモニタに表示させることができる。
【００１２】
こうして、請求項１の発明の情報入力装置によれば、情報センターのような固定局に目的地の位置コードを問い合わせるとその回答を音声信号で受けるような目的地案内システムと共に使用するとき、目的地が現在地から比較的近距離にある場合、現在地を基準地として当該装置を使用することにより、桁数の多い位置コードを入力しなければならない場合でも利用者が実際に入力するコード桁数を少なくすることができ、それだけ誤入力を少なくし、目的地案内システムに対して目的地を設定する操作がしやすくなり、その利用を促進することができる。
【００１３】
請求項３の発明の目的地案内システムでは、移動局の移動体電話から固定局を発呼して位置コード以外の目的地を特定するための情報を送信し、固定局において、移動局から送られてきた目的地を特定するための情報に基づき、地図位置情報検索装置によって地図データを検索して該当する目的地の位置コードを割り出して当該移動局に音声信号で送信し、移動局において、固定局から送られてくる目的地の位置コードを目的地案内表示装置に入力することにより、当該目的地案内表示装置に目的地として示す地図表示を行わせる。
【００１４】
そして移動局において、目的地案内表示装置に対して固定局から移動体電話によって受けた目的地の位置コードを入力する際には、移動局の現在地を測位手段によって検出し、現在地位置コード割出手段によって所定桁数の現在地の位置コードを割り出し、さらに周辺区域コード表示手段によって地図上の現在地を含み、広さが異なる複数段階の周辺区域それぞれを表す周辺区域コードであって、現在地を表す位置コードの上位何桁かで表わされるコードを表示する。そして固定局から受けた目的地の位置コードと上位何桁かが共通する周辺区域コードがあれば、そのうちの適当なもの（通常は一致する桁数がいちばん多いもの）を周辺区域コード選択手段によって選択し、さらに、コード入力手段によって任意桁数のコードを入力し、目的地設定手段によって選択された周辺区域コードの下位桁に入力されたコードを付加して目的地を表す位置コードとして設定する。
【００１５】
これにより移動局の目的地案内表示装置は、設定された目的地の位置コードに基づき、当該目的地を含む周辺区域の地図情報を地図情報記憶装置から取り出してモニタに表示させる。
【００１６】
こうして、請求項３の発明の目的地案内システムによれば、固定局に目的地の位置コードを問い合わせるとその回答を音声信号で受けるとき、目的地が現在地から比較的近距離にある場合、現在地を基準地として当該装置を使用することにより、桁数の多い位置コードを入力しなければならない場合でも利用者が実際に入力するコード桁数を少なくすることができ、それだけ誤入力を少なくし、当該システムの利用を促進することができる。
【００１７】
請求項５の発明の目的地案内表示装置では、固定局から得た目的地の位置コードを入力する際には、移動局の現在地を測位手段によって検出し、現在地位置コード割出手段によって所定桁数の現在地の位置コードを割り出し、さらに周辺区域コード表示手段によって地図上の現在地を含み、広さが異なる複数段階の周辺区域それぞれを表す周辺区域コードであって、現在地を表す位置コードの上位何桁かで表わされるコードを表示する。そして固定局から得た目的地の位置コードと上位何桁かが共通する周辺区域コードがあれば、そのうちの適当なものを周辺区域コード選択手段によって選択し、さらに、コード入力手段によって任意桁数のコードを入力する。これにより、目的地設定手段が選択された周辺区域コードの下位桁に入力されたコードを付加して目的地を表す位置コードとして設定し、この目的地の位置コードに基づき、当該目的地を含む周辺区域の地図情報を地図情報記憶装置から取り出して表示させる。
【００１８】
こうして、請求項５の発明の目的地案内表示装置によれば、情報センターのような固定局に目的地の位置コードを問い合わせるとその回答を音声信号で受けるような目的地案内システムに使用するとき、目的地が現在地から比較的近距離にある場合、現在地を基準地として当該装置を使用することにより、桁数の多い位置コードを入力しなければならない場合でも利用者が実際に入力するコード桁数を少なくすることができ、それだけ誤入力を少なくして目的地の設定が行え、当該システムの利用を促進することができる。
【００１９】
請求項７の発明の目的地設定方法では、目的地案内表示装置によって現在地を表す所定桁数の位置コードを取得し、地図上の現在地を含み、広さが異なる複数段階の周辺区域それぞれを表すコードであって、現在地を表す位置コードの上位何桁かで表わされる周辺区域コードを表示させる。そして目的地案内表示装置は、表示している周辺区域コードのうちの１つを利用者が選択したときにその選択された周辺区域コードを表示する。さらに目的地案内表示装置は、利用者がコードを入力すると、表示している周辺区域コードの下位桁に所定桁数になるまで入力されるコードを付加してゆくことによって目的地の位置コードとする。そして利用者がこの目的地の位置コードを指定すれば、指定された位置コードに対応する目的地を含む周辺区域の地図を地図情報から検索して表示する。
【００２０】
これにより、目的地案内サービスを利用して移動局の利用者が固定局に目的地の位置コードを問い合わせ、固定局のオペレータからその回答を音声信号で受け取り、目的地案内表示装置に目的地の位置コードとして入力するとき、目的地が現在地から比較的近距離にある場合には下位何桁かを入力すれば済み、桁数の多い位置コードを入力しなければならない場合でも利用者が実際に入力するコード桁数を少なくすることができ、それだけ誤入力を少なくし、当該サービスの利用を促進することができる。
【００２１】
請求項２，請求項４，請求項６，請求項８の発明では、所定桁数の位置コード及び周辺区域コードとして、市外局番からの電話番号、緯度・経度、郵便番号又は全国地図を所定の面積のメッシュに区切り、各メッシュに所定桁数の番号を割り付けた地図番号を用いるので、桁数の多い位置コードを入力しなければならない場合でも利用者が実際に入力するコード桁数を少なくすることができ、それだけ誤入力を少なくして目的地の設定が行え、固定局に目的地の位置コードを問い合わせるとその回答を音声信号で受ける目的地案内システムの利用を促進することができる。
【００２２】
【発明の実施の形態】
以下、本発明の実施の形態を図に基づいて詳説する。図１は本発明の一つの実施の形態の目的地案内システムの構成を示している。移動局としての車両Ａには、目的地案内表示装置としてのナビゲーション装置１、操作画面、説明画面、地図データその他の種々の情報を表示するモニタ２、ＧＰＳ衛星３からの信号を受信するＧＰＳアンテナ４、ナビゲーション装置１に接続し、ハンズフリーで無線電話がかけられるハンズフリー移動体電話５、そしてナビゲーション装置１に対して種々の入力操作を行うナビゲーション操作スイッチ６が搭載されている。
【００２３】
ナビゲーション装置１は、ナビゲーション操作スイッチ６により地図表示、ルート探索、ルートガイドその他、種々のナビゲーション機能を設定操作し、ＧＰＳアンテナ４や車両に搭載されているジャイロセンサからの信号によって現在位置を検出し、モニタ２に関連する区域の地図を表示すると共にその上に現在地、目的地を示すマークを表示し、またメニュー画面や操作画面、その他の情報を表示させることができる。
【００２４】
ナビゲーション装置１はまた、本実施の形態の特徴である現在地の位置コードに対してその周辺区域を示す周辺区域コードを１つあるいは複数個割り出し、モニタ２に表示する機能を備えている。
【００２５】
このナビゲーション装置１に対してハンズフリー電話５が接続され、電話番号の発信、着信応答の操作をナビゲーション装置１から行うことができる。尚、ナビゲーション装置１とハンズフリー電話５との接続には、従来から一般的な技術が採用されている。
【００２６】
一方、固定局である情報センターＢには、目的地位置情報を検索するために必要な機器としてデータサーバ１１が備えられ、これにアクセスするための情報検索端末１２、そして多数の車両Ａその他の移動局からの問合せに対応するための電話端末１３が備えられている。
【００２７】
次に、上記の構成の目的地案内システムによる目的地位置情報の問合せから、目的地地図表示までの一連の流れを、図２〜図５に示すフローチャート及び図６に示すフローチャートを用いて説明する。
【００２８】
サービス利用者が車両のＡＣＣをＯＮすると、モニタ２は地図表示画面になる（画面Ａ）。
【００２９】
サービス利用者がナビゲーション操作スイッチ６のメニュースイッチを押すと、画面上にメニューが現れ、その中から「行先の設定」ボタンを選択すると、プルダウンメニューが現れる（画面Ｂ）。
【００３０】
この画面Ｂにおけるタイトルバー上の各ボタンは、次の通りである。
【００３１】
「行き先の設定」ボタンは、ルートガイドを行うための目的地や経由地を設定する際にタッチするボタンである。
【００３２】
「ルートの確認」ボタンは、設定したルートの確認や修正の際にタッチするボタンである。
【００３３】
「登録する」ボタンは、登録されている地点、軌跡、ルートの確認や修正の際にタッチするボタンである。
【００３４】
「情報を見る」ボタンは、各種情報（案内情報、高速道路情報）を見る際にタッチするボタンである。
【００３５】
「各種設定」ボタンは、各種情報の表示や設定をする際にタッチするボタンである。
【００３６】
また画面Ｂにおけるプルダウンメニューの内容は、次の通りである。
【００３７】
「お気に入り」項目を選択すると、すでに登録してあるいくつかの場所から選択する画面が展開表示される。
【００３８】
「最近の目的地から」項目を選択すると、最近目的地として設定したいくつかの場所から選択する画面が展開表示される。
【００３９】
「位置コードから」項目を選択した場合、後述する手順によって情報センターＢに電話して目的地の位置コード（例えば、電話番号コード、緯度・経度コード、郵便番号コード、地図区域番号コード等のうち、本システムで採用しているもの）を教えてもらい、そのコードを入力することによって目的地を設定することができる。
【００４０】
「５０音から」項目を選択すると、目的地の名称を文字選択によって入力するための文字画面が展開表示される。
【００４１】
「施設から」項目を選択すると、「駅」、「美術館」などのジャンル別の目的地から選択するための画面が展開表示される。
【００４２】
「電話番号から」項目を選択した場合、電話番号から目的地を設定するための画面が展開表示される。
【００４３】
そこで、画面Ｂのプルダウンニューから「位置コードから」を選択すると、ナビゲーション装置１は位置コード入力画面Ｃを表示すると共に、予め組み込まれている演算を実行して現在地の位置コードと周辺区域の位置コードを生成してこの入力画面Ｃにそれぞれ、「現在地位置コード」と「周辺区域コード」として表示する。
【００４４】
周辺位置コードの生成ロジックは、図６のフローチャートに示すものである。ナビゲーション装置１はＧＰＳアンテナ４や内蔵するジャイロのような測位装置によって地図上の現在地を検出し、これに対して割りふられている位置コード、あるいはこれを含む最も狭い区域の位置コードを読み込み（ステップＳ１）、これに隣接する区域の位置コードも読み込み、現在地位置コードと隣接区域の位置コードとを含む何段階かのより広い区域の位置コードを周辺区域コードとして生成し（ステップＳ２）、入力画面Ｃに表示させるのである（ステップＳ３）。
【００４５】
例えば、図７に示すように現在地の位置コード若しくは現在地を含む最も狭い周辺区域コードが所定桁数である９桁のコード番号で「２３６３６５２６５」であったとする。なお、本実施の形態で使用されている位置コードは、位置指定のために大区域（上から３桁までの「２３６」の区域コード）、中区域（上から６桁までの「２３６３６５」の区域コード）、小区域（上から８桁までの「２３６３６５２６」の区域コード）、そしてピンポイント（すなわち、現在地点を表す９桁の「２３６３６５２６５」等の位置コード）の４段階で設定されているものとする。
【００４６】
この場合、地図上で現在地に対して上下左右、斜め上下にそれぞれ隣接する区域コードは９桁のコードで、最下位桁の数字だけが異なり、上から８桁目までは共通するコード番号で「２３６３６５２６１」、「２３６３６５２６２」、「２３６３６５２６３」、「２３６３６５２６４」、「２３６３６５２６６」、「２３６３６５２６７」、「２３６３６５２６８」、「２３６３６５２６９」である。
【００４７】
そこで画面Ｃには、ナビゲーション装置１が割り出す現在地に対応した位置コードよりも広い区域を指定する区域コードを段階的に選択できるように表示するのであり、ここでは上から３桁までの大区域のコード「２３６」、上から６桁までの中区域のコード「２３６３６５」、そして上から８桁までの小区域のコード「２３６３６５２６」という、広さが広狭異なる３種類の区域を表すコードを周辺区域コードとして表示している。
【００４８】
このようにして、目的地入力画面Ｃを表示させておいて、ハンズフリー電話５によって情報センターＢを発呼し、オペレータと電話がつながれば、目的地の位置コードを特定するのに必要な情報、例えば、「×××病院」、「半径５ｋｍ以内にあるホームセンター」、「○○市××町△△番地」等の情報を伝える。
【００４９】
情報センターＢのオペレータは、利用者から受け取った目的地を特定する情報を情報検索端末１２に入力してデータサーバ１１を検索する。そして目的地の位置コードが得られると、この位置コードをサービス利用者に音声信号で伝える。尚、目的地位置コードの検索結果が出た後は、オペレータは電話番号案内のように音声合成装置を通して目的地位置コードをサービス利用者に伝達するようにしてもよい。サービス利用者は、オペレータから伝達される目的地の位置コード番号を記録しておく。そして電話を切る。
【００５０】
こうして目的地位置コードを取得すると、利用者は画面Ｃに対してその位置コードを入力して目的地を設定する。そのためには、利用者が取得した目的地位置コードを入力画面Ｃに表示されている複数の周辺位置コードと照らしてみて、上位から下位へ最大限一致する桁数の周辺位置コードを選択する。例えば、オペレータから得た目的地位置コードが「２３６３６５２６４」であったとすると、入力画面Ｃに表示されている複数の周辺区域コードの内、小区域である上位から８桁目までの区域コード「２３６３６５２６」がこれに相当するので、この周辺区域コード「２３６３６５２６」を選択することになる（画面Ｄ）。そして決定スイッチを操作すると、画面Ｅに示すように目的地位置コードの入力ウィンドウにこの周辺区域コード「２３６３６５２６」が表示される。
【００５１】
そこで、画面Ｆに示すように、残りの下１桁の数字「４」をテンキーからタッチ入力し、決定スイッチを操作すると、画面Ｇに示すように目的地位置コードの入力ウィンドウにオペレータから聞いた目的地位置コードの全桁「２３６３６５２６４」が表示される。
【００５２】
この画面Ｇにおいて、オペレータから聞いてメモした（あるいは記憶している）目的地位置コードと入力ウィンドウに表示されている位置コードとが一致していることを確認すると、利用者は地図表示ボタンをタッチして地図上での目的地の設定と、ルート探索処理に入ることになる。
【００５３】
これにより、ナビゲーション装置１側では搭載している地図データを検索し、該当する位置コードを含む地図データが見つかればモニタ２に目的地周辺の地図と共に該当する地図上の位置に目的地を示すマークＭＫを表示する（画面Ｈ）。そこで、サービス利用者が地図画面で目的地の位置を確認し、ナビゲーション操作スイッチ６の決定スイッチを押すと、目的地がナビゲーション装置１の地図データ上に設定されることになる（画面Ｉ）。そしてナビゲーション装置１はルート検索を開始する（画面Ｊ）。
【００５４】
ナビゲーション装置１によるルート検索は従来同様の機能であり、ルート検索中にナビゲーション操作スイッチ６の決定スイッチを押すとルート検索を中止するが、押さなければ現在位置から目的地に到達するまでのルート検索を継続する（画面Ｋ）。
【００５５】
画面Ｋのルート検索終了画面で、利用者が決定スイッチを押すと、案内ルートが決定される。そして、ナビゲーション装置１はルート案内を開始することになる（画面Ｌ）。
【００５６】
このようにして、上記の実施の形態によれば、情報センターＢに目的地の位置コードを問い合わせるとその回答を音声信号で受ける目的地案内システムにおいて、目的地が現在地から比較的近距離にある場合、桁数の多い位置コードを入力しなければならない場合でも利用者が実際に入力するコード桁数を少なくすることができ、それだけ誤入力を少なくして目的地の設定が行え、当該システムの利用を促進することができる。
【００５７】
なお、上記の実施の形態では位置コードとして、全国地図を所定の面積のメッシュに区切り、各メッシュに所定桁数の番号を割り付けた地図番号を用いたが、これに限らず、広域の位置コードからコードで桁数が増えるほどその地域に含まれるより狭域の区域を表すようになる位置コードであれば、例えば、市外局番からの電話番号、緯度・経度又は郵便番号等を採用することができる。
【００５８】
例えば、電話番号であれば、市外局番を周辺位置コードとして利用することができ、緯度・経度であれば、経度データを固定して緯度側だけを「度」まで、「分」まで、「秒」までそれぞれによって広狭の周辺位置コードを設定することができる。また、その逆、あるいは緯度・経度両方を用いることも可能である。さらに、郵便番号であれば、上位１桁だけ、上位２桁まで、上位３桁まで、さらに上位５桁までをそれぞれ周辺位置コードとして採用することができる。
【図面の簡単な説明】
【図１】本発明の１つの実施の形態のブロック図。
【図２】上記の実施の形態による目的地設定処理の第１段のフローチャート。
【図３】上記の実施の形態による目的地設定処理の第２段のフローチャート。
【図４】上記の実施の形態による目的地設定処理の第３段のフローチャート。
【図５】上記の実施の形態による目的地設定処理の第４段のフローチャート。
【図６】上記の実施の形態におけるナビゲーション装置の周辺位置コードの生成処理のフローチャート。
【図７】上記の実施の形態における地図上の現在地とその周辺区域との位置コードの関係を示す説明図。
【符号の説明】
Ａ  車両
Ｂ  情報センター
１  ナビゲーション装置
２  モニタ
４  ＧＰＳアンテナ
５  ハンズフリー電話
６  ナビゲーション操作スイッチ
１１  データサーバ
１２  情報検索端末
１３  電話端末
【図１】
0003575387.tif 000002
【図２】
0003575387.tif 000003
【図３】
0003575387.tif 000004
【図４】
0003575387.tif 000005
【図５】
0003575387.tif 000006
【図６】
0003575387.tif 000007
【図７】
0003575387.tif 000008